(57)【要約】【課題】複数の装飾部品を所望の模様形状に配置するシートを作製するための切断データを作成する。【解決手段】切断データ作成装置は、切断装置を用いてシートに複数の装飾部品が配置される穴を形成するための切断データを作成するものであって、データ取得手段と輪郭抽出手段と切断データ作成手段とを備える。データ取得手段は、穴を形成するための複数の仮穴を配置する仮穴配置データであって仮穴の中心位置と穴径とをデータとして有する仮穴配置データを取得する。輪郭抽出手段は、データ取得手段で取得した仮穴配置データに基づいて配置された複数の仮穴の集合体に対し、最も外側の輪郭線を抽出する。切断データ作成手段は、輪郭抽出手段により抽出された輪郭線に沿ってシートを切断するための切断データを作成する。【選択図】図１０
2014124747.tif 000002
【特許請求の範囲】
【請求項１】
切断装置を用いて、シートに複数の装飾部品が配置される穴を形成するための切断データを作成する切断データ作成装置であって、
前記穴を形成するための複数の仮穴を配置する仮穴配置データであって前記仮穴の中心位置と穴径とをデータとして有する仮穴配置データを取得するデータ取得手段と、
前記データ取得手段で取得した前記仮穴配置データに基づいて配置された前記複数の仮穴の集合体に対し、最も外側の輪郭線を抽出する輪郭抽出手段と、
前記輪郭抽出手段により抽出された前記輪郭線に沿って前記シートを切断するための切断データを作成する切断データ作成手段と、
を備えることを特徴とする切断データ作成装置。
【請求項２】
前記輪郭抽出手段は、前記複数の仮穴のうち隣り合う二つの仮穴について、その二つの仮穴の中心間の距離が、その二つの仮穴のそれぞれの半径の合計より小さい場合に、その二つの仮穴を一つの集合体に含まれるものとして前記輪郭線を抽出することを特徴とする請求項１記載の切断データ作成装置。
【請求項３】
前記輪郭抽出手段は、前記複数の仮穴のうち隣り合う二つの仮穴について、その二つの仮穴の中心間の距離が、その二つの仮穴のそれぞれの半径の合計以上、かつ、所定値以下である場合に、前記二つの仮穴のそれぞれの直径よりも小さい補助穴によって前記二つの仮穴を繋ぎ、前記二つの仮穴と前記補助穴とを一つの集合体に含まれるものとして前記輪郭線を抽出することを特徴とする請求項１または２記載の切断データ作成装置。
【請求項４】
前記輪郭抽出手段は、前記複数の仮穴のうち隣り合う二つの仮穴について、その二つの仮穴の中心間の距離が所定値より大きい場合に、前記二つの仮穴をそれぞれ別の集合体に含まれるものとし、前記集合体ごとに前記輪郭線を抽出することを特徴とする請求項１から３いずれか一項記載の切断データ作成装置。
【請求項５】
前記仮穴配置データは、前記複数の仮穴を切断するための順番である切断順をデータとしてさらに有し、
前記輪郭抽出手段は、前記輪郭線を前記切断順に従って順次抽出することを特徴とする請求項１から４いずれか一項記載の切断データ作成装置。
【請求項６】
請求項１から５いずれか一項記載の切断データ作成装置を備えることを特徴とする切断装置。
【請求項７】
請求項１から５いずれか一項記載の切断データ作成装置の各種処理手段として、コンピュータを機能させるための切断データ作成プログラム。
【発明の詳細な説明】
【技術分野】
【０００１】
本発明は、切断装置を用いてシートに複数の装飾部品が配置される穴を形成するための切断データを作成する切断データ作成装置、その切断装置及び切断データ作成プログラムに関する。
【背景技術】
【０００２】
従来、小さな粒状の装飾部品いわゆるラインストーンと称される模造宝石を使用して、衣類や小物品を装飾することが行われている。装飾部品は、衣類や小物品の表面に所望の模様形状に多数配置された後、接着によって固定される。
【０００３】
装飾部品の配置は、例えば特許文献１のように、多数の穴が形成された定規を用いて行われる。多数の穴は、装飾部品の外径よりもやや大きい内径の穴であって、所定の複数の模様形状に配列されている。ユーザは、定規に形成された所望の模様形状を構成する穴を選択し、その穴に装飾部品をはめ込んで配置する。
【０００４】
しかし、上述の定規を用いる場合、装飾部品の配置は、予め定規に形成された穴の配置に限定される。そのため、好みの模様形状に装飾部品を配置する場合には、好みの模様形状用の定規を新たに製作するか、又は定規を使用しないで完全にユーザの手作業によって行うしかなかった。
【先行技術文献】
【特許文献】
【０００５】
【特許文献１】特開２００５−２５４７０７号公報
【発明の概要】
【発明が解決しようとする課題】
【０００６】
本発明は上記事情に鑑みてなされたものであり、その目的は、複数の装飾部品を所望の模様形状に配置するシートを作製するための切断データを作成する切断データ作成装置、切断装置及び切断データ作成プログラムを提供する。
【課題を解決するための手段】
【０００７】
上記の目的を達成するために、本発明の請求項１に係る切断データ作成装置は、切断装置を用いて、シートに複数の装飾部品が配置される穴を形成するための切断データを作成する切断データ作成装置であって、前記穴を形成するための複数の仮穴を配置する仮穴配置データであって前記仮穴の中心位置と穴径とをデータとして有する仮穴配置データを取得するデータ取得手段と、前記データ取得手段で取得した前記仮穴配置データに基づいて配置された前記複数の仮穴の集合体に対し、最も外側の輪郭線を抽出する輪郭抽出手段と、前記輪郭抽出手段により抽出された前記輪郭線に沿って前記シートを切断するための切断データを作成する切断データ作成手段と、を備えることを特徴とする。
【０００８】
本発明の請求項６に係る切断装置は、上記切断データ作成装置を備えることを特徴とする。
本発明の請求項７に係る切断データ作成プログラムは、上記切断データ作成装置の各種処理手段として、コンピュータを機能させるものである。
【発明の効果】
【０００９】
本発明の請求項１に係る切断データ作成装置によれば、データ取得手段は、装飾部品を配置するための穴を形成するための仮穴のデータを取得する。輪郭抽出手段は、データ取得手段で取得した仮穴配置データに基づいて、複数の仮穴を集合体としてその集合体の最も外側の輪郭線を抽出する。そして、切断データ作成手段は、輪郭抽出手段により抽出された輪郭線に沿ってシートを切断するための切断データを作成する。これにより、複数の装飾部品を所望の模様形状に配置するシートを作製するための切断データを作成することができる。
【００１０】
本発明の請求項６に係る切断装置によれば、前記切断データによって、複数の装飾部品を所望の模様形状に配置するシートを作製することができる。
また、本発明の請求項７に係る切断データ作成プログラムによれば、請求項１と同様の効果を奏する。
【図面の簡単な説明】
【００１１】
【図１】一実施形態による切断装置及び切断データ作成装置の電気的構成を示すブロック図
【図２】切断装置を示す斜視図
【図３】本体カバーを取り外した状態で切断装置を示す正面図
【図４】穴が形成されたシートに装飾部品を配置して示す図
【図５】（ａ）は仮穴の配置の第一例を示す図、（ｂ）は（ａ）の仮穴の配置に基づいて求められる切断データを概念的に示す図
【図６】（ａ）は仮穴の配置の第二例を示す図、（ｂ）は（ａ）の仮穴の配置に基づいて求められる切断データを概念的に示す図
【図７】（ａ）は仮穴の配置の第三例を示す図、（ｂ）は（ａ）の仮穴の配置に基づいて求められる切断データを概念的に示す図
【図８】（ａ）は仮穴の配置の第四例を示す図、（ｂ）は（ａ）の仮穴の配置に基づいて求められる切断データを概念的に示す図
【図９】仮穴配置データの内容を示す図
【図１０】切断データ作成装置による切断データ作成プログラムの処理内容を示す第一のフローチャート
【図１１】切断データ作成装置による切断データ作成プログラムの処理内容を示す第二のフローチャート
【図１２】（ａ）〜（ｃ）は、隣り合う二つの仮穴が相互に重なっている場合における切断データ作成プログラムの処理内容を順に示す図
【図１３】（ａ）〜（ｃ）は、隣り合う二つの仮穴が相互に離間し、かつ、その離間距離が所定値以下である場合における切断データ作成プログラムの処理内容を順に示す図
【図１４】（ａ）〜（ｆ）は、複数の仮穴について隣り合う仮穴が相互に重なって配置されている場合における切断データ作成プログラムの処理内容を順に示す図
【図１５】（ａ）〜（ｆ）は、複数の仮穴について隣り合う仮穴が相互に離間して配置され、かつ、その離間距離が所定値以下である場合における切断データ作成プログラムの処理内容を順に示す図
【図１６】（ａ）〜（ｆ）は、複数の仮穴が二以上の集合体に分かれる場合における切断データ作成プログラムの処理内容を順に示す図
【発明を実施するための形態】
【００１２】
以下、一実施形態による切断データ作成装置、切断装置及び切断データ作成プログラムについて図面を参照して説明する。
図１は、切断装置１０と切断データ作成装置２０の構成を示している。切断装置１０は、図２に示す保持部材５０に保持された被切断物６０を、所望の形状に切断するものである。保持部材５０は、表面に粘着層（図示せず）を有する樹脂製の平板であり、被切断物６０を粘着層に貼り付けて保持する。被切断物６０には、図４に示すように、複数の穴７１が切断装置１０によって形成される。複数の穴７１は、装飾部品７０を被装飾物８０に配置するための穴である。被切断物６０は、例えば樹脂製のシートである。被装飾物８０は、例えば衣類や小物品である。
【００１３】
切断装置１０は、図２及び図３に示すように、本体カバー１１、本体部１２、Ｘ軸移動機構１３、Ｙ軸移動機構１４、キャリッジ１５、及びカッタカートリッジ１６を備えている。カッタカートリッジ１６は、キャリッジ１５に着脱可能に取り付けられている。また、カッタカートリッジ１６には、図３に示すように、先端に刃部が設けられたカッタ１６１が交換可能に取り付けられている。
【００１４】
本体カバー１１は、全体として矩形の箱状に構成されており、本体部１２、Ｘ軸移動機構１３、Ｙ軸移動機構１４、キャリッジ１５、及びカッタカートリッジ１６の外側全体を覆っている。以下の説明において、本体カバー１１の長手方向を切断装置１０の左右方向とし、開口部１１１側を切断装置１０の前側とする。また、切断装置１０に対し、左右方向をＸ軸方向、前後方向をＹ軸方向、上下方向をＺ軸方向と定義する。本体カバー１１の正面には、開口部１１１が形成されている。本体カバー１１の開口部１１１に対向する後面にも、保持部材５０が通過可能な開口部（図示せず）が形成されている。
【００１５】
本体カバー１１は、前カバー１１２及び操作パネル１１３を有している。前カバー１１２は、下端部が本体カバー１１に回動可能に枢支され、開口部１１１を開放する位置（図２参照）と開口部１１１を閉じる位置とに亘って回動する。操作パネル１１３は、本体カバー１１の上部に設けられている。操作パネル１１３は、液晶ディスプレイ１１４と複数のスイッチ１１５などを有している。ユーザは、操作パネル１１３を操作することによって、各種の設定や動作状況の確認を行う。
【００１６】
本体部１２は、基台１２１、受け機構１２２などから構成されている。基台１２１は、本体カバー１１の底部に設けられて、矩形の枠状に構成されている。受け機構１２２は、略水平な平板状に構成されている。受け機構１２２には被切断物６０が載置される。受け機構１２２は、被切断物６０を切断する際、カッタカートリッジ１６の下端部が被切断物６０及び保持部材５０に与える押圧力を受ける。
【００１７】
Ｘ軸移動機構１３は、キャリッジ１５をＸ軸方向つまり左右方向へ移動させる。Ｘ軸移動機構１３は、上下一対のＸ軸ガイドレール１３１、１３２、Ｘ軸モータ１３３、Ｘ軸駆動ギヤ１３４、Ｘ軸従動ギヤ１３５、一対のタイミングプーリ１３６、１３７、及びタイミングベルト１３８から構成されている。
【００１８】
上下一対のＸ軸ガイドレール１３１、１３２は、上下に水平に並んで設けられている。Ｘ軸モータ１３３は、例えばステッピングモータである。Ｘ軸駆動ギヤ１３４は、Ｘ軸モータ１３３の回転を受け、Ｘ軸モータ１３３の回転軸と一体的に回転する。Ｘ軸従動ギヤ１３５は、Ｘ軸駆動ギヤ１３４と噛み合って設けられている。
【００１９】
左右一対のタイミングプーリ１３６、１３７のうち、左側タイミングプーリ１３６は、Ｘ軸従動ギヤ１３５の下側に設けられている。左側タイミングプーリ１３６は、Ｘ軸従動ギヤ１３５の回転に伴いＸ軸従動ギヤ１３５と一体的に回転する。タイミングベルト１３８は、左側タイミングプーリ１３６と右側タイミングプーリ１３７との間に亘って架けられている。詳しくは図示しないが、タイミングベルト１３８の一部が、キャリッジ１５接続されている。
【００２０】
この構成において、Ｘ軸モータ１３３が回転すると、その回転は、Ｘ軸駆動ギヤ１３４、Ｘ軸従動ギヤ１３５、及び左側タイミングプーリ１３６によってタイミングベルト１３８に伝達される。これによりキャリッジ１５は、タイミングベルト１３８の移動に伴ってＸ軸方向つまり左右方向へ移動する。
【００２１】
Ｙ軸移動機構１４は、保持部材５０に保持された被切断物６０をＹ軸方向つまり前後方向へ移動させる。Ｙ軸移動機構１４は、駆動ローラ１４１、ピンチローラ１４２、Ｙ軸モータ１４３、Ｙ軸駆動ギヤ１４４、及びＹ軸従動ギヤ１４５から構成されている。駆動ローラ１４１及びピンチローラ１４２は、軸中心が左右方向すなわちＸ軸方向へ向くようにＸ軸ガイドレール１３１、１３２と平行に設けられている。駆動ローラ１４１とピンチローラ１４２との間に配置された保持部材５０は、ピンチローラ１４２によって駆動ローラ１４１に押し付けられる。
【００２２】
Ｙ軸モータ１４３は、例えばステッピングモータである。Ｙ軸駆動ギヤ１４４は、Ｙ軸モータ１４３の回転を受け、Ｙ転モータ１４３の回転軸と一体的に回転する。Ｙ軸従動ギヤ１４５は、駆動ローラ１４１の右端部に設けられている。Ｙ軸従動ギヤ１４５は、Ｙ軸駆動ギヤ１４４と噛み合っている。
【００２３】
この構成において、Ｙ軸モータ１４３が回転すると、その回転は、Ｙ軸駆動ギヤ１４４とＹ軸従動ギヤ１４５とによって駆動ローラ１４１に伝達される。そして、駆動ローラ１４１の回転は、駆動ローラ１４１とピンチローラ１４２との間に挟持された保持部材５０に伝達される。これにより、保持部材５０は、駆動ローラ１４１の軸方向に直交するＹ軸方向つまり前後方向へ移動する。
【００２４】
キャリッジ１５は、カートリッジホルダ１５１と図示しないＺ軸移動機構とを有して構成されている。カートリッジホルダ１５１は、キャリッジ１５の前側に設けられ、カッタカートリッジ１６を着脱可能に保持する。カッタカートリッジ１６は、図３に示すようにカッタ１６１の刃部を露出させた形態で、カートリッジホルダ１５１に固定される。図示しないＺ軸移動機構は、キャリッジ１５の内部に設けられており、カートリッジホルダ１５１をカッタカートリッジ１６とともに上下方向つまりＺ軸方向へ移動させる。
【００２５】
この構成において、Ｚ軸移動機構によってカートリッジホルダ１５１が下方へ移動されると、カッタカートリッジ１６に取り付けられたカッタ１６１の先端部は、シート状の保持部材５０に保持されている被切断物６０に食い込む。切断装置１０は、カッタ１６１の先端部を被切断物６０に食い込ませた状態で、Ｘ軸移動機構１３によってキャリッジ１５をＸ軸方向へ移動させるとともに、Ｙ軸移動機構１４によって被切断物６０をＹ軸方向へ移動させることで、被切断物６０を所望の形状に切断する。
【００２６】
この場合、Ｘ軸移動機構１３及びＹ軸移動機構１４は、被切断物６０とキャリッジ１５とを相対的に移動させる相対移動手段として機能する。すなわち、Ｘ軸移動機構１３、Ｙ軸移動機構１４、及びキャリッジ１５に設けられた図示しないＺ軸移動機構は、カッタカートリッジ１６に取り付けられたカッタ１６１と被切断物６０とを相対的に移動させる相対移動手段として機能する。
【００２７】
切断装置１０は、図１に示すように、制御手段として制御回路１７を備えている。制御回路１７は、中央演算処理装置（ＣＰＵ）であって、切断装置１０の全体の制御を司っている。制御回路１７には、操作パネル１１３の液晶ディスプレイ１１４（ＬＣＤ１１４）及びスイッチ１１５、ＲＡＭ１８１、ＲＯＭ１８２、通信部１８３、及び複数の駆動回路１９が接続されている。ＲＡＭ１８１は、各モータ１３３、１４３、１５２を駆動させて被切断物６０を所望の形状に切断するための切断データなどを記憶する。ＲＯＭ１８２は、ＲＡＭ１８１に記憶された切断データに基づいて各モータ１３３、１４３、１５２を駆動制御するための駆動制御プログラムなどを記憶している。通信部１８３は、外部の機器と通信して切断データを取得する。そして、駆動回路１９は、制御回路１７からの命令に基づいて、それぞれＸ軸モータ１３３、Ｙ軸モータ１４３、Ｚ軸モータ１５２を駆動させる。
【００２８】
次に、切断データ作成装置２０について説明する。
切断データ作成装置２０は、切断データ作成プログラムを実行するパーソナルコンピュータによって構成されている。また、切断データ作成プログラムは、切断データ作成装置２０の各種処理手段としてパーソナルコンピュータを機能させる。また、切断データ作成装置２０は、仮穴配置プログラムも実行することで、仮穴配置データ作成装置としても機能する。なお、前記パーソナルコンピュータは、汎用的なコンピュータに限られず、切断データ作成装置専用に構成されたものでもよい。また、切断データ作成装置と仮穴配置データ作成装置とは、別体で構成されたものでもよい。
【００２９】
切断データ作成装置２０は、図１に示すように、制御回路２１を主体として、ＲＡＭ２２、ＲＯＭ２３、ＥＥＰＲＯＭ２４、入力部２５、表示部２６、及び通信部２７などから構成されている。制御回路２１は、中央演算処理装置（ＣＰＵ）で構成され、制御手段として機能する。ＲＡＭ２２は、制御回路２１が実行しているプログラムに応じて必要な情報を一時的に記憶する。ＲＯＭ２３は、仮穴配置プログラムや切断データ作成プログラムなどを記憶している。ＥＥＰＲＯＭ２４は、仮穴配置プログラムの実行によって作成された仮穴配置データや、切断データ作成プログラムの実行によって作成された切断データなどを記憶する。
【００３０】
入力部２５は、例えばマウスやキーボードなどの入力手段であって、ユーザによって操作される。表示部２６は、例えば液晶ディスプレイ（ＬＣＤ）であって、ユーザに対するメッセージなど必要な情報を表示する。そして、通信部２７は、外部の機器と通信し、切断データなど必要な情報を外部の機器へ送信する。本実施形態の場合、切断データ作成装置２０の通信部２７は、切断装置１０の通信部１８３と有線によって通信可能に接続されている。これにより、切断データ作成装置２０で作成された切断データは、切断装置１０へ送信される。
【００３１】
なお、切断データ作成装置２０の通信部２７と切断装置１０の通信部１８３とは、無線通信によって接続してもよい。また、切断データ作成装置２０と切断装置１０との間における切断データの受け渡しは、図示しないが、例えばＵＳＢメモリなど着脱可能な外部記憶装置を介して、又はインターネットなどのネットワークを介して行ってもよい。
【００３２】
切断データ作成装置２０は、制御回路２１によって仮穴配置プログラムが実行されると、仮穴配置データ作成装置として機能し、図９に示す仮穴配置データＤ１を作成する。仮穴配置データＤ１の作成は、まずユーザが、切断データ作成装置の表示部２６に表示される模様形状などの情報を見ながら入力部２５を操作して、配置したい装飾部品の大きさ例えば直径や、装飾部品を配置したい模様形状など各種必要な情報を入力する。制御回路２１は、装飾部品の大きさ及び模様形状などの情報を基に、例えば図５〜図８の各（ａ）に示すように、個々の装飾部品の配置に応じた複数の仮穴Ｈを切断データ作成装置２０内で仮想的に配置する。この仮穴Ｈは、装飾部品の径よりも若干大きく設定されている。
【００３３】
例えば、図５の（ａ）には、第一例として、装飾部品を前後及び左右方向へ十字となるように整列させて、隙間無く敷き詰めるように配置した場合を示している。この配置では、各仮穴Ｈの前後及び左右の一部分が相互に重なっている。図６の（ａ）には、第二例として、装飾部品を前後及び左右方向に対して斜め方向へＸ字となるように整列されて、隙間無く敷き詰めるように配置した場合を示している。この配置では、各仮穴Ｈの周囲は、他の仮穴Ｈの一部分と重なっている。図７の（ａ）には、第三例として、装飾部品を前後及び左右方向へ整列させて、各装飾部品を一定間隔で離間させて配置した場合を示している。そして、図８の（ａ）には、第四例として、装飾部品を任意の線に沿って、隣り合う装飾部品を相互に一定間隔で離間させて配置した場合を示している。
【００３４】
その後、制御回路２１は、図５〜図８の各（ａ）に示す仮想的に配置された仮穴Ｈに基づいて、図９に示す仮穴配置データＤ１を作成する。仮穴配置データＤ１は、各仮穴Ｈ（ｎ）に関するデータから構成されている。仮穴Ｈ（ｎ）のデータは、各仮穴Ｈ（ｎ）の中心位置のＸ座標及びＹ座標である中心座標Ｃｐ（ｎ）、仮穴Ｈの穴径この場合半径Ｒ、切断装置１０による切断順ｎをデータとして有している。切断順ｎは、切断装置１０によって各仮穴Ｈ（ｎ）を切断する際に、切断装置１０の各モータ１３３、１４３、１５２の駆動回数、駆動時間などを極力低減させて効率よく切断動作を行うための切断の順番を示している。
【００３５】
なお、切断順ｎは、１以上の整数である。また、切断順ｎの最後すなわち仮穴Ｈ（ｎ）の個数をｍとする。そして、複数の仮穴Ｈについて切断順ｎを区別して示す場合は、仮穴Ｈ（ｎ）、仮穴Ｈ（ｎ＋１）・・・とし、切断順ｎについて区別する必要が無い場合は、単に仮穴Ｈとする。
【００３６】
制御回路２１は、仮穴配置データＤ１が作成された後、切断データ作成プログラムを実行する。すると、切断データ作成装置２０は、図５〜図８の各（ｂ）に示す切断データＤ２を作成する。切断データＤ２は、切断装置１０を駆動させて被切断物６０に形成する穴形状を表すもので、本実施形態では、切断データＤ２の概念図を図形Ｏｕｔ（ｚ）として表している。図形Ｏｕｔ（ｚ）は、複数の仮穴Ｈの集合体の最も外側の輪郭線を抽出した図形である。制御回路２１は、複数の仮穴Ｈを、少なくとも１つ以上の集合体に区別する。そのため、切断データＤ２は、少なくとも１つ以上の図形Ｏｕｔ（ｚ）を含んで構成される。なお、図形Ｏｕｔ（ｚ）における集合体番号ｚは、複数の集合体を区別するものであって１以上の整数である。
【００３７】
制御回路２１は、次のようにして図形Ｏｕｔ（ｚ）を抽出し、切断データＤ２を求める。すなわち、制御回路２１は、仮穴配置データＤ１に基づき、切断順ｎの順番に従って仮穴Ｈ（ｎ）を仮想的に配置する。その際、制御回路２１は、仮穴Ｈ（ｎ）に対して次の仮穴Ｈ（ｎ＋１）を取り込んで行くことで仮穴Ｈの集合体を拡大し、その集合体の輪郭線を切断順ｎに従って順次抽出する。そして、制御回路２１は、最終的に仮穴Ｈ（１）〜仮穴Ｈ（ｍ）によって構成される少なくとも１以上の集合体について、各集合体の最も外側の輪郭線を図形Ｏｕｔ（ｚ）として抽出する。そして、制御回路２１は、これにより抽出された全ての集合体番号ｚについての図形Ｏｕｔ（ｚ）を切断データＤ２として出力する。この場合、制御回路２１は、切断データ作成手段として機能する。
【００３８】
具体的には、制御回路２１は、切断データ作成プログラムを実行すると、図１０に示すように、ステップＳ１１において、仮穴配置データＤ１を取得する。この際、制御回路２１は、仮穴配置データＤ１を取得するデータ取得手段として機能する。次に、制御回路２１は、ステップＳ１２において、集合体番号ｚ＝１及び切断順ｎ＝１を初期値として設定する。そして、制御回路２１は、ステップＳ１３において、図形Ｏｕｔ（ｚ）＝Ｈ（ｎ）、この場合図形Ｏｕｔ（１）＝Ｈ（１）を設定する。
【００３９】
次に、制御回路２１は、ステップＳ１４において、現在処理を行っている仮穴Ｈ（ｎ）の切断順ｎが、合計個数ｍに達しているか否かを判断する。切断順ｎが合計個数ｍに達していない場合（ステップＳ１４でＹＥＳ）、制御回路２１は、図１１に示すステップＳ２１へ移行する。制御回路２１は、ステップＳ２１において、仮穴Ｈ（ｎ）の中心座標Ｃｐ（ｎ）、及び仮穴Ｈ（ｎ＋１）の中心座標Ｃｐ（ｎ＋１）を取得する。
【００４０】
その後、制御回路２１は、ステップＳ２２において、切断順ｎが隣り合う二つの仮穴Ｈすなわち仮穴Ｈ（ｎ）と仮穴Ｈ（ｎ＋１）とを一つの集合体に含ませて処理するか、又は別の集合体として処理するかを判断する。つまり、制御回路２１は、仮穴Ｈ（ｎ）が含まれる図形Ｏｕｔ（ｚ）に、次の仮穴Ｈ（ｎ＋１）を含ませるか否かを判断する。この判断は、仮穴Ｈ（ｎ）と仮穴Ｈ（ｎ＋１）との中心間の距離Ｌ及び仮穴Ｈのサイズこの場合半径Ｒに基づいて判断される。制御回路２１は、仮穴Ｈ（ｎ）と仮穴Ｈ（ｎ＋１）との中心間距離Ｌが所定値より大きい場合に、二つの仮穴Ｈ（ｎ）と仮穴Ｈ（ｎ＋１）とがそれぞれ別の集合体に含まれるものとして処理する。一方、制御回路２１は、中心間距離Ｌが前記所定値以下である場合に、二つの仮穴Ｈ（ｎ）と仮穴Ｈ（ｎ＋１）とを一つの集合体に含まれるものとして処理する。
【００４１】
具体的には、制御回路２１は、ステップＳ２２において、仮穴Ｈ（ｎ）と仮穴Ｈ（ｎ＋１）との中心間の距離Ｌを比較する。制御回路２１は、仮穴Ｈ（ｎ）と仮穴Ｈ（ｎ＋１）との中心間の距離Ｌが、所定値例えば半径Ｒの４倍より大きい場合（ステップＳ２２でＹＥＳ）、仮穴Ｈ（ｎ）と仮穴Ｈ（ｎ＋１）とはそれぞれ別の集合体に含まれるものと判断し、ステップＳ２３へ移行する。
【００４２】
制御回路２１は、ステップＳ２３において、集合体番号ｚ＝ｚ＋１この場合ｚ＝１＋１＝２として、次の集合体となる図形Ｏｕｔ（ｚ）＝Ｏｕｔ（２）を設定する。また、切断順ｎ＝ｎ＋１この場合ｎ＝１＋１＝２として、次の仮穴Ｈ（ｎ）＝仮穴Ｈ（２）に設定し、その後、図１０に示すステップＳ１３へ移行する。一方、制御回路２１は、仮穴Ｈ（ｎ）と仮穴Ｈ（ｎ＋１）との中心間の距離Ｌが、所定距離この場合半径Ｒの４倍以下である場合（ステップＳ２２でＮＯ）、仮穴Ｈ（ｎ）と仮穴Ｈ（ｎ＋１）とは一つの集合体に含まれるものと判断し、ステップＳ２４へ移行する。
【００４３】
制御回路２１は、ステップＳ２４において、切断順ｎが隣り合う二つの仮穴Ｈすなわち仮穴Ｈ（ｎ）と仮穴Ｈ（ｎ＋１）とを、図１２の（ｃ）に示すように合成するか、又は図１３の（ｃ）に示すように補助穴Ｓ（ｎ）によって接続するかを判断する。具体的には、制御回路２１は、図１１に示すステップＳ２４において、仮穴Ｈ（ｎ）が含まれる図形Ｏｕｔ（ｚ）と、次の仮穴Ｈ（ｎ＋１）とが重なっているか否かを判断する。この判断は、仮穴Ｈ（ｎ）と仮穴Ｈ（ｎ＋１）との中心間の距離Ｌ及び仮穴Ｈの半径Ｒに基づいて行われる。
【００４４】
制御回路２１は、仮穴Ｈ（ｎ）と仮穴Ｈ（ｎ＋１）と中心間の距離Ｌが、図１２の（ａ）に示すように、半径Ｒの２倍未満である場合（ステップＳ２４でＮＯ）、二つの仮穴Ｈ（ｎ）と仮穴Ｈ（ｎ＋１）とは相互に重なっていると判断する。そして、制御回路２１は、ステップＳ２５〜ステップＳ２７を実行する。これにより、制御回路２１は、仮穴Ｈ（ｎ）が含まれる図形Ｏｕｔ（ｚ）に対し、次の仮穴Ｈ（ｎ＋１）を含めた集合体を形成し、その集合体の最も外側の輪郭線となる図形Ｕを求める。なお、図形Ｏｕｔ（ｚ）は、仮穴Ｈ（１）から仮穴Ｈ（ｎ）によって構成される集合体の最も外側の輪郭線で表された図形である。また、図１２及び図１３に示す図形Ｏｕｔ（ｚ）は、図の簡略化のため、図形Ｏｕｔ（ｚ）全体のうち仮穴Ｈ（ｎ）に相当する部分のみを表している。
【００４５】
制御回路２１は、図形Ｏｕｔ（ｚ）と仮穴Ｈ（ｎ＋１）、つまり仮穴Ｈ（ｎ）と次の仮穴Ｈ（ｎ＋１）とが、図１２の（ａ）に示すように相互に重なっていると判断すると（ステップＳ２４でＮＯ）、ステップＳ２５へ移行する。そして、制御回路２１は、ステップＳ２５において、図１２の（ｂ）に示すように、図形Ｏｕｔ（ｚ）と仮穴Ｈ（ｎ＋１）との交点つまり仮穴Ｈ（ｎ）と仮穴Ｈ（ｎ＋１）との交点Ｃ１、Ｃ２を求める。その後、制御回路２１は、ステップＳ２６において、図形Ｏｕｔ（ｚ）と仮穴Ｈ（ｎ＋１）との輪郭線を交点Ｃ１、Ｃ２で分断する。
【００４６】
そして、制御回路２１は、ステップＳ２７において、ステップＳ２６で分断された図形Ｏｕｔ（ｚ）と仮穴Ｈ（ｎ＋１）との輪郭線のうち、図１２の（ｃ）に示すように、最も外側の輪郭線どうしを接続して図形Ｕを求める。この場合、ステップＳ２６で求められた図形Ｕは、図形Ｏｕｔ（ｚ）に仮穴Ｈ（ｎ＋１）が含まれて構成されている。すなわち、この場合、図形Ｕは、隣り合う二つの仮穴Ｈ（ｎ）と仮穴Ｈ（ｎ＋１）とを含めて一つの集合体とし、その集合体の最も外側の輪郭線によって構成されている。
【００４７】
一方、制御回路２１は、仮穴Ｈ（ｎ）と仮穴Ｈ（ｎ＋１）との中心間の距離Ｌが、図１３の（ａ）に示すように、半径Ｒの２倍以上の場合（ステップＳ２４でＹＥＳ）、二つの仮穴Ｈ（ｎ）と仮穴Ｈ（ｎ＋１）とは相互に離間していると判断する。そして、制御回路２１は、ステップＳ２８〜ステップＳ３１を実行する。これにより、制御回路２１は、図形Ｏｕｔ（ｚ）と仮穴Ｈ（ｎ＋１）とを補助穴Ｓ（ｎ）で接続した後、図形Ｏｕｔ（ｚ）に仮穴Ｈ（ｎ＋１）及び補助穴Ｓ（ｎ）を含めた集合体の最も外側の輪郭線となる図形Ｕを求める。
【００４８】
すなわち、制御回路２１は、図形Ｏｕｔ（ｚ）と仮穴Ｈ（ｎ＋１）、つまり仮穴Ｈ（ｎ）と次の仮穴Ｈ（ｎ＋１）とが、図１３の（ａ）に示すように相互に離間していると判断すると（ステップＳ２４でＹＥＳ）、ステップＳ２８へ移行する。制御回路２１は、ステップＳ２８において、図１２の（ｂ）に示すように、仮穴Ｈ（ｎ）の中心Ｃｐ（ｎ）と仮穴Ｈ（ｎ＋１）の中心Ｃｐ（ｎ＋１）との間を結ぶ線分Ｌ０を求める。さらに、制御回路２１は、線分Ｌ０から所定距離Ｗ離れた線分Ｌ０に平行な線分Ｌ１、Ｌ２を求める。所定距離Ｗは、例えば０より大きくかつ半径Ｒ以下の範囲内で設定される。この場合、所定距離Ｗは、半径Ｒの半分に設定されている。
【００４９】
その後、制御回路２１は、ステップＳ２９において、図形Ｏｕｔ（ｚ）すなわち仮穴Ｈ（ｎ）と平行線Ｌ１との交点Ｌｐ１１、図形Ｏｕｔ（ｚ）すなわち仮穴Ｈ（ｎ）と平行線Ｌ２との交点Ｌｐ１２、仮穴Ｈ（ｎ＋１）と平行線Ｌ１との交点Ｌｐ２１、及び仮穴Ｈ（ｎ＋１）と平行線Ｌ２との交点Ｌｐ２２を求める。そして、制御回路２１は、ステップＳ３０において、図形Ｏｕｔ（ｚ）、仮穴Ｈ（ｎ＋１）、及び平行線Ｌ１、Ｌ２のそれぞれの輪郭線を交点Ｌｐ１１、Ｌｐ１２、Ｌｐ２１、Ｌｐ２２で分断する。その後、制御回路２１は、ステップＳ３１において、ステップＳ３０で分断された図形Ｏｕｔ（ｚ）、仮穴Ｈ（ｎ＋１）、及び平行線Ｌ１、Ｌ２の輪郭線のうち最も外側の輪郭線どうしを接続して図形Ｕを求める。
【００５０】
ステップＳ３１において求められた図形Ｕは、図形Ｏｕｔ（ｚ）、仮穴Ｈ（ｎ＋１）、交点Ｌｐ１１と交点Ｌ２１とを結ぶ線分、及び交点Ｌｐ１２と交点Ｌ２２とを結ぶ線分によって構成される。この場合、交点Ｌｐ１１、Ｌｐ１２、Ｌｐ２１、Ｌｐ２２を繋いで補助穴Ｓ（ｎ）が形成される。すなわち、制御回路２１は、ステップＳ２８〜ステップＳ３１を実行すると、隣り合う二つの仮穴Ｈ（ｎ）と仮穴Ｈ（ｎ＋１）とを補助穴Ｓ（ｎ）で繋ぐ。そして、制御回路２１は、これら仮穴Ｈ（ｎ）と仮穴Ｈ（ｎ＋１）とを補助穴Ｓ（ｎ）とを一つの集合体とし、その集合体の最も外側の輪郭線によって構成された図形Ｕを抽出する。
【００５１】
制御回路２１は、ステップＳ３２において、図形Ｏｕｔ（ｚ）を、ステップＳ２７又はステップＳ３１で求めた図形Ｕに置き換える。その後、制御回路２１は、次の仮穴Ｈ（ｎ＋１）についての処理を行うため、ステップＳ３３において、現在の切断順ｎ＝ｎ＋１を行い、図１０に示すステップＳ１４へ移行する。制御回路２１は、ステップＳ１４、ステップＳ１５、及び図１１に示すステップＳ２１〜ステップＳ３３を繰り返し、上述した処理を切断順ｎが合計個数ｍに達するまで行う。制御回路２１は、切断順ｎが合計個数ｍ未満でなくなると（ステップＳ１４でＮＯ）、全ての仮穴Ｈ（ｎ）について処理を実行したと判断し、ステップＳ１５へ移行する。そして制御回路２１は、ステップＳ１５において、上述の処理で求めた全ての集合体番号ｚについての図形Ｏｕｔ（１）〜Ｏｕｔ（ｚ）に基づいて切断データＤ２を出力する。
【００５２】
上述した処理によれば、図５又は図６に示すように複数の仮穴Ｈの一部が相互に重なって配置されている場合、制御回路２１は、図１４の（ａ）〜（ｆ）に示すように、図形Ｏｕｔ（１）に対して仮穴Ｈ（１）、Ｈ（２）・・・Ｈ（５）を順次取り込む。これにより、制御回路２１は、仮穴Ｈの集合体としての図形Ｏｕｔ（１）を順次拡大して行く。そして、制御回路２１は、最終的に複数の仮穴Ｈからなる集合体の最も外側の輪郭線を図形Ｏｕｔ（１）として抽出する。
【００５３】
また、図７に示すように複数の仮穴Ｈのうち切断順ｎが隣り合う仮穴Ｈ（ｎ）と仮穴Ｈ（ｎ＋１）との中心間の距離Ｌが、仮穴Ｈの半径Ｒよりも大きく、かつ、所定値以下である場合、制御回路２１は、図１５の（ａ）、（ｂ）に示すように、例えば仮穴Ｈ（２）を含む図形Ｏｕｔ（１）と次の仮穴Ｈ（３）とを補助穴Ｓ（２）によって接続する。そして、制御回路２１は、仮穴Ｈ（２）に隣り合う仮穴Ｈ（３）と、補助穴（２）とを一つの集合体に含めて図形Ｏｕｔ（１）に取り込む。
【００５４】
そして、制御回路２１は、上述した処理を繰り返すことで、図１５の（ｃ）〜（ｆ）に示すように、図形Ｏｕｔ（１）に対して仮穴Ｈ（４）、補助穴Ｓ（３）、仮穴Ｈ（５）、補助穴Ｓ（４）を順次取り込む。これにより、制御回路２１は、仮穴Ｈ（ｎ＋１）と補助穴Ｓ（ｎ）とを一つの集合体に含めて図形Ｏｕｔ（１）を順次拡大して行く。そして、制御回路２１は、最終的に複数の仮穴Ｈ及び複数の補助穴Ｓからなる集合体の最も外側の輪郭線を図形Ｏｕｔ（１）として抽出する。
【００５５】
また、図８に示すように複数の仮穴Ｈのうち切断順ｎが隣り合う二つの仮穴Ｈ（ｎ）と仮穴Ｈ（ｎ＋１）との中心間の距離Ｌが、所定値よりも大きい場合について見る。例えば図１６において、仮穴Ｈ（１）と仮穴Ｈ（２）、及び仮穴Ｈ（２）と仮穴Ｈ（３）とはそれぞれ一部が重なっている。また、仮穴Ｈ（４）と仮穴（５）とは一部が重なっている。一方、仮穴Ｈ（３）と仮穴Ｈ（４）とは、その中心間の距離Ｌが所定値以上離間している。
【００５６】
この場合、制御回路２１は、図１６の（ａ）、（ｂ）に示すように、図形Ｏｕｔ（１）として仮穴Ｈ（１）と仮穴Ｈ（２）と仮穴Ｈ（３）とを含めた集合体の最も外側の輪郭線を抽出する。その後、制御回路２１は、仮穴Ｈ（３）と仮穴Ｈ（４）とが所定値以上離間しているため、図形Ｏｕｔ（１）を次の集合体とすべく、集合体番号ｚ＝２を設定する。そして、制御回路２１は、図１６の（ｃ）〜（ｆ）に示すように、仮穴Ｈ（４）と仮穴（５）とからなる集合体の最も外側の輪郭線を図形Ｏｕｔ（２）として抽出する。
【００５７】
これによれば、切断データ作成装置２０の制御回路２１は、データ取得手段として機能し、装飾部品７０の配置用の穴を形成するための複数の仮穴Ｈを配置する仮穴配置データＤ１を取得する。また、制御回路２１は、輪郭抽出手段として機能し、データ取得手段で取得した仮穴配置データＤ１に基づいて、複数の仮穴Ｈの集合体の最も外側の輪郭線である図形Ｏｕｔ（ｚ）を抽出する。さらに、制御回路２１は、切断データ作成手段として機能し、輪郭抽出手段により抽出された輪郭線となる図形Ｏｕｔ（ｚ）に沿ってシートを切断するための切断データＤ２を作成する。これにより、複数の装飾部品７０を所望の模様形状に配置するシートを作製するための切断データＤ２を作成することができる。
【００５８】
また、輪郭抽出手段としての制御回路２１は、仮穴配置データＤ１に基づいて、複数の仮穴Ｈからなる集合体を構成し、その集合体の最も外側の輪郭線である図形Ｏｕｔ（ｚ）を抽出する。したがって、切断データＤ２による穴形状は、複数の仮穴Ｈをまとめた全体として大きな一つの穴形状となる。そのため、複数の仮穴Ｈについて個々に穴を形成する場合、各装飾部品７０を離間して配置させる他無いが、上記構成によれば、各装飾部品７０を密接させてほぼ隙間なく敷き詰めることができる。
【００５９】
また、複数の仮穴Ｈについて個々に穴を形成する切断データに基づいて切断装置１０を駆動させた場合、切断装置１０は、一つ一つの穴を切断する度にＺ軸モータ１５２を駆動させてカッタ１６１を上下させる必要があるため、多くの時間を要する。一方、上記構成の切断データＤ２によれば、該切断データＤ２に基づいて切断される穴は、複数の仮穴Ｈをまとめた全体として大きな一つの穴形状となる。そのため、切断装置１０は、一つ一つの仮穴Ｈを切断する必要がなく、複数の仮穴Ｈを集合体としてまとめて切断することができる。これにより、切断装置１０は、多数の穴を繰り返し切断する必要がなく、切断に要する時間を短縮することができる。
【００６０】
また、上記構成によれば、多数の小さな穴を切断する必要がないため、多数の穴の内側部分の切り屑は発生しない。つまり、ユーザは、仮穴Ｈの集合体として切断された部分を取り除くだけでよく、その結果、切り屑を清掃するのに要する手間も低減される。
【００６１】
（その他の実施形態）
本発明は、上述した実施形態に限定されるものではなく、その要旨を逸脱しない範囲で様々な拡張、変更が可能である。
切断データ作成装置２０は、パーソナルコンピュータで構成されるものに限られない。例えば切断装置１０が切断データ作成装置２０を備える構成であってもよい。
切断装置１０は、カッタ１６１によって被切断物６０を切断するものに限られず、例えば放電やレーザーによって被切断物６０を切断するものでもよい。
複数の仮穴Ｈの穴は、各仮穴Ｈの形状やサイズつまり半径Ｒがそれぞれ異なっていてもよい。
補助穴Ｓは、直線形状に限られず、例えば楕円状であってもよい。
【符号の説明】
【００６２】
１０  切断装置
２０  切断データ作成装置
２１  制御回路（データ取得手段、輪郭抽出手段、切断データ作成手段）
６０  被切断物
７０  装飾部品
７１  穴
Ｄ１  仮穴配置データ
Ｈ（ｎ）  仮穴
ｎ  切断順
Ｃｐ（ｎ）  中心座標（中心位置）
Ｒ  半径（穴径）
Ｓ（ｎ）  補助穴
Ｕ  集合体の最も外側の輪郭線
Ｏｕｔ（ｚ）  切断データの概念図
Ｄ２  切断データ
【図１】
2014124747.tif 000003
【図２】
2014124747.tif 000004
【図３】
2014124747.tif 000005
【図４】
2014124747.tif 000006
【図５】
2014124747.tif 000007
【図６】
2014124747.tif 000008
【図７】
2014124747.tif 000009
【図８】
2014124747.tif 000010
【図９】
2014124747.tif 000011
【図１０】
2014124747.tif 000012
【図１１】
2014124747.tif 000013
【図１２】
2014124747.tif 000014
【図１３】
2014124747.tif 000015
【図１４】
2014124747.tif 000016
【図１５】
2014124747.tif 000017
【図１６】
2014124747.tif 000018